(57)【要約】      （修正有）【課題】靴底の踵部分を取り外しすることができ、捲くれあがりを防ぐことができる踵部の構造を提供する。【解決手段】靴底のアウトソールの後側底部分を切欠いて形成された切り欠き部に、当該切欠き部に脱着自在に装着可能な踵部の構造であって、当該踵部は最適な硬度及び厚さを有するゴムからなり、ネジを用いて切欠き部に装着するためのネジ穴が貫設され、さらに切欠き部の底面と対面する踵部の接合面が、外周縁から中央に向かって凹状となるように形成する。【選択図】図１
0003157818.tif 000002
【実用新案登録請求の範囲】
【請求項１】
靴のアウトソールに形成された踵本体の後側底部分を切り欠いて形成され、
二つのナットが足の幅方向に離間して埋め込まれてなる切欠き部に、
前記ナットと螺合可能なネジを介して着脱自在に装着可能な踵部の構造であって、
前記踵部はＪＩＳＫ６２５３で規定する硬度Ａ８０〜Ａ９０のゴムからなり、
踵部の外周縁が７〜１２ｍｍの厚みを有する板状に形成され、
踵部には、前記ナットに対応する位置にネジが挿通可能なネジ穴が貫設され、
前記ナットが埋め込まれた前記切欠き部の底面と対面する踵部の接合面が外周縁から中央に向かって凹状に形成されていること
を特徴とする踵部の構造。
【考案の詳細な説明】
【技術分野】
【０００１】
本考案は、脱着自在に装着可能な踵部の構造に関する。
【背景技術】
【０００２】
従来、靴のアウトソールの後ろ部分に形成されている踵本体に形成された切欠き部に踵部を係合し装着する構造は知られている。
【考案の概要】
【考案が解決しようとする課題】
【０００３】
しかし、従来の踵部は、使用しているうちに下方向への反りが発生して捲くれあがり、靴の履き心地に違和感が生じる問題があった。
【０００４】
本考案は前記問題点に鑑み、靴底に着脱自在に装着可能であって、前記踵部の捲くれあがりを防ぐことで違和感の発生を抑制できる踵部の構造を提供することを目的とする。
【課題を解決するための手段】
【０００５】
前記目的を達成するために、本考案に係る靴底の踵部の構造は、靴のアウトソールに形成された踵本体の後側底部分を切り欠いて形成され、二つのナットが足の幅方向に離間して埋め込まれてなる切欠き部に、前記ナットと螺合可能なネジを介して着脱自在に装着可能な踵部の構造であって、前記踵部はＪＩＳＫ６２５３で規定する硬度Ａ８０〜Ａ９０のゴムからなり、踵部の外周縁が７〜１２ｍｍの厚みを有する板状に形成され、踵部には、前記ナットに対応する位置に、ネジが挿通可能なネジ穴が貫設され、前記ナットが埋め込まれた前記切欠き部の底面と対面する踵部の接合面が外周縁から中央に向かって凹状に形成されていることを特徴とする。
【０００６】
前記踵部に形成された凹状内の凹の形状は、外周縁から中央に向かって緩やかな傾斜を有するすり鉢状の構造を有する。
【０００７】
踵部は切欠き部にネジによって固定されて装着される。踵部が装着されると、凹状に形成された接合面がネジとナットによるネジ止めにより加えられる上方向の力により地面に対して水平に近い形状に変形し、切欠き部の底面に密着することができる。この変形により踵部の接合面の外周縁には切欠き部の底面を上方に押圧する押圧力が発生するため、足の裏方向への反り返りが発生しにくい。
【０００８】
前記踵部の外周縁の厚みは７〜１２ｍｍであることが好ましい。７ｍｍよりも薄いと反り返りによる捲くれあがりが発生しやすくなり、１２ｍｍよりも厚いと高い材料コストが必要となるからである。より好ましくは前記外周縁の厚さを９〜１０ｍｍとすることが良い。
【０００９】
前記踵部のゴムの硬度はＡ８０以下だと捲くれあがりが起こりやすくなり、Ａ９０以上だと前記踵部が滑りやすくなるため、硬度はＡ８０〜Ａ９０であることが好ましい。なお、硬度はＪＩＳＫ６２５３タイプＡデュロメータによるものである。
【００１０】
踵部は天然ゴムでも良いが、より好ましくは合成ゴムであることが良い。最適な硬度を得易いからである。
【考案の効果】
【００１１】
踵部の凹状に形成された接合面が地面に対して水平に近い形状に変形することにより発生する接合面の外周縁が切欠き部底面を上方向へ押し付ける押圧力によって、踵部の捲くれあがりを防止することができる。
【００１２】
前記捲くれあがりの解消により、前記踵部の使用可能期間が延長される。
【００１３】
また、簡易なネジ止めの構造により前記踵部の交換が容易に可能となる。
【図面の簡単な説明】
【００１４】
【図１】踵部４と切欠き部２の全体を示す斜視図である。
【図２】踵部４を切欠き部２に装着したようすを示す斜視図である。
【図３】踵本体１１の中央を切断し、踵部４を切欠き部２に当てがいネジ７を締め付ける前の状態を示す縦断面図である。
【図４】踵本体１１の中央を切断し、踵部４を切欠き部２に当てがいネジ７を締め付ける前の状態を示す横断面図である。
【図５】踵本体１１の中央を切断し、ネジ７を締め付けて踵部４を切欠き部２に固定した状態を示す横断面図である。
【考案を実施するための形態】
【００１５】
以下、本考案の実施の形態を、図面を参照して説明する。
【００１６】
本考案は図１に示したように、アウトソール１に形成された踵本体１１の後側底部分を切り欠いて形成され、二つのナット６が足の幅方向に離間して埋め込まれてなる切欠き部２に、ネジ７を介して着脱自在に装着可能な踵部４の構造である。前記踵部４の上面は、踵部４を切欠き部２に装着することにより切欠き部２の底面２１と接合する接合面３であり、当該接合面３は外周端から中央に向かって凹状に形成される。
【００１７】
踵部４を切欠き部２に装着するために切欠き部２の底面２１にあてがうと、図３、図４に示すように接着面３と切欠き部２の底面２１との間に隙間空間が形成される。当該隙間空間は接着面３の外周縁から中央に向かうに従って接着面３と切欠き部２の底面２１との間隔が広がるドーム状に形成される。
【００１８】
使用する踵部４の外周縁の厚みは９〜１０ｍｍとした。
【００１９】
前記ゴムの硬度がＡ８０以下だと捲くれあがりが起こりやすくなり、Ａ９０以上だと前記踵部４が滑りやすくなるため、硬度がＡ８０〜Ａ９０のゴムが好ましい。
【００２０】
前記切欠き部２の段差深さと前記踵部４の外周縁の厚みは、踵部４を切欠き部２に装着した時に、切欠き部２と踵部４との間に装着による段差が生じないように設計することが望ましい。
【００２１】
前記踵部４の形状は、爪先側となる前面は足の幅方向に対して斜めとなるように切断され、後端面は図２に示すように踵本体１１の後端面に沿った形状であることが好ましい。
【００２２】
前記切欠き部２の底面２１には、図１に示すように二つのナット６が足の幅方向に離間して埋め込まれている。踵部４には、前記ナット６の軸中心にネジ７の軸中心を一致させて挿入可能に、ネジ穴５を足の幅方向に二つ離間させて形成する。
【００２３】
前記踵部４の交換は、前記切欠き部２に形成された前記ナット６と前記踵部４に形成された前記ネジ穴５にネジ７を螺合することにより、容易に行うことができる。
【００２４】
またネジ穴５は、踵部４の装着後において前記踵部４の地面と接触する面からネジ７の頭部分が突出しないようにネジ穴５の下部分を拡径し、ネジの頭部分を踵部４内に嵌め込むことができるように形成することが好ましい。ネジ穴５の拡径された部分にネジの頭部分を嵌め込み可能とすることによって、歩行時にネジの頭部分が地面に接触することがなく、不快な金属異音の発生を防止することができる。
【００２５】
踵部４の装着は、切欠き部２に当てがい、ネジ７をネジ穴５に挿通してナット６に羅合しながら締め込んでネジ止めをすることによって行う。踵部４は切欠き部２に当てがわれたときは、図４に示すように、接合面３が凹状に形成されていることによって接合面３の中央部分と切欠き部２の底面２１の中央部分との間に隙間空間が生じている。
【００２６】
接合面３は、図５に示すようにネジ７を用いて踵部４を装着すると、ネジ止めにより加えられる上方向の力により接合面３の形状が水平に近い形状へと変化し、切欠き部２の底面２１と密着する。踵部４の装着によって、接合面３の外周縁に切欠き部２の底面２１を上方向へ押圧する押圧力が発生することによって、踵部４の捲くれあがりが解消され、長期間踵部４装着した靴であっても、使用時の履き心地が従来と比べて違和感のないものとなる。
【符号の説明】
【００２７】
１    アウトソール
１１  踵本体
２    切欠き部
２１  底面
３    接合面
４    踵部
５    ネジ穴
６    ナット
７    ネジ
【図１】
0003157818.tif 000003
【図２】
0003157818.tif 000004
【図３】
0003157818.tif 000005
【図４】
0003157818.tif 000006
【図５】
0003157818.tif 000007